(57)【特許請求の範囲】
【請求項１】
パネル本体の内部に収容される複数本の１次側配線の光コネクタが接続される複数のアダプタが左右に複数配列されたアダプタパネルを前記パネル本体の前面に備え、前記アダプタに対して前記パネル本体の手前側から２次側配線の光コネクタが接続される光配線用パネルであって、
前記アダプタパネルの左右に配線路が設けられ、前記２次側配線が前記配線路に通されて前記パネル本体の背面側へ配線され、
前記パネル本体内の前記１次側配線が配線される配線スペースと前記２次側配線が配線される配線路とを仕切る仕切り板が設けられ、
前記パネル本体は、前記１次側配線が収容される配線スペースのみを覆う上部カバーを有し、
前記パネル本体の背面側には、前記１次側配線を導入するケーブル導入部が設けられ、
前記仕切り板は、前記パネル本体の手前側から奥行き方向の途中である略中間部分まで延在され、前記ケーブル導入部に干渉しないように前記略中間部分よりも前記パネル本体の背面側には設けられていないことを特徴とする光配線用パネル。
【請求項２】
請求項１に記載の光配線用パネルであって、
前記パネル本体の手前側には、前記アダプタパネルに光コネクタが接続される２次側配線を受ける受け部材が着脱可能に設けられていることを特徴とする光配線用パネル。
【発明の詳細な説明】
【技術分野】
【０００１】
本発明は、光配線用のパネル内で複数本の光ファイバコードを配線する光配線用パネルに関する。
【背景技術】
【０００２】
屋内外において光ファイバケーブルの接続や分岐を行うための光成端架では、キャビネットの前面にスライド動作により引き出し可能である台板を積層し、それぞれ通信機器や通信線を収納してユニットを形成している。そして、通信機器を搭載した通信用ユニットの上部または下部に、通信機器間を配線する通信線を収納する余長収納ユニットを配置し、通信機器の設置や配線、保守等の作業時に、通信用ユニットをキャビネットの前面に引き出すため、通信機器に接続されている通信線の余長分を余長収納ユニットに収納している（例えば、特許文献１参照）。
【先行技術文献】
【特許文献】
【０００３】
【特許文献１】特開２００９−１１７４９７号公報
【発明の概要】
【発明が解決しようとする課題】
【０００４】
光成端架では、光コネクタを接続するためのアダプタパネルの直下やパネル取り付けのための支柱間に別の配線専用パネルを設置するのが一般的であるが、配線専用パネルを設置すると、光成端架のコストアップを招くとともに、重量が嵩んでしまう。
また、配線専用パネルを設ける場合、光成端架本体寸法や光成端架内にパネルを取り付けるための支柱位置関係等、パネルを設置する光成端架本体の仕様を逐一調査及び確認する必要がある。このため、光成端架内の配線設計に大きな手間が掛かる上、配線専用パネルの選定ミスや設計不良等を生じるリスクもあった。
また、配線専用パネルを無理に取り付けるために、支柱を跨いで配線を行ったりすると、配線を安全に保護することができないおそれがある。
【０００５】
本発明の目的は、光成端架のコストを抑えつつ軽量化を図るとともに、配線設計を的確かつ良好に行って、配線を安全に保護することが可能な光配線用パネルを提供することにある。
【課題を解決するための手段】
【０００６】
上記課題を解決することのできる本発明の光配線用パネルは、パネル本体の内部に収容される複数本の１次側配線の光コネクタが接続される複数のアダプタが左右に複数配列されたアダプタパネルを前記パネル本体の前面に備え、前記アダプタに対して前記パネル本体の手前側から２次側配線の光コネクタが接続される光配線用パネルであって、
前記アダプタパネルの左右に配線路が設けられ、前記２次側配線が前記配線路に通されて前記パネル本体の背面側へ配線されることを特徴とする。
【０００７】
本発明の光配線用パネルにおいて、前記パネル本体内の前記１次側配線が配線される配線スペースと前記２次側配線が配線される配線路とを仕切る仕切り板が設けられていることが好ましい。
【０００８】
本発明の光配線用パネルにおいて、前記パネル本体は、前記１次側配線が収容される配線スペースのみを覆う上部カバーを有することが好ましい。
【０００９】
本発明の光配線用パネルにおいて、前記パネル本体の前面側には、前記アダプタパネルに光コネクタが接続される２次側配線を受ける受け部材が着脱可能に設けられていることが好ましい。
【発明の効果】
【００１０】
本発明の光配線用パネルによれば、アダプタに光コネクタが接続された２次側配線を配線路へ通してパネル本体の背面側へ配線させることができ、配線を安全に保護することができる。また、配線を収納する配線専用パネルを別個に設置する場合と比較して、光成端架のコストを抑えつつ軽量化を図るとともに、配線設計を的確かつ良好に行うことができる。さらには光成端架内のスペースを有効に利用できるため、光配線用パネルをより多く搭載できる。
【図面の簡単な説明】
【００１１】
【図１】本発明に係る光配線用パネルの第１実施形態を示す（ａ）Ａ−Ａ矢視図、（ｂ）上面、（ｃ）背面及び（ｄ）側面からの四面図である。
【図２】図１の光配線用パネルに着脱される受け部材を示す（ａ）正面、（ｂ）上面及び（ｃ）側面からの三面図である。
【図３】第２実施形態に係る光配線用パネルを示す平面図である。
【図４】第３実施形態に係る光配線用パネルを示す平面図である。
【発明を実施するための形態】
【００１２】
以下、本発明に係る光配線用パネルの実施の形態の例を、図面を参照して説明する。
（第１実施形態）
まず、第１実施形態に係る光配線用パネルについて説明する。
図１に示すように、光配線用パネル１１Ａは、例えば、鉄板材、アルミ板材等より形成され、例えば、ラック（図示省略）に積層状態に配列されて収容される。
【００１３】
この光配線用パネル１１Ａは、ラックに固定されるパネル本体２１を有している。パネル本体２１は、底板２２と、この底板２２の左右両側部に立設された側板２３とを有している。側板２３には、側方へ突出するブラケット２４が設けられており、このパネル本体２１をラックに収容した状態において、ブラケット２４をラックの支柱（図示省略）等に固定することにより、光配線用パネル１１Ａがラックに固定される。また、パネル本体２１の奥側には、底板２２から立設された後壁２６が設けられている。
【００１４】
光配線用パネル１１Ａは、パネル本体２１の前方側に、幅方向へわたって配置されたアダプタパネル３４が立設されている。このアダプタパネル３４には、１２個のアダプタ３５が左右方向へ配列されて固定されている。これらのアダプタ３５は、それぞれ上下に接続部３５ａを有しており、アダプタパネル３４に、左右６個ずつ分けて配置されて左右のアダプタ群３５Ｒ，３５Ｌとされている。これらのアダプタ３５の接続部３５ａには、アダプタパネル３４の表裏両面側から光コネクタ３，４が接続される。
【００１５】
また、パネル本体２１の底板２２には、側板２３に沿って仕切り板４１が立設されている。これらの仕切り板４１は、側板２３に対して隙間をあけて配置されており、アダプタパネル３４の両端からパネル本体２１の奥側へ向かって延在されている。これにより、パネル本体２１には、アダプタパネル３４の左右に、パネル本体２１の手前側から奥側へ繋がる配線路４３が設けられている。そして、パネル本体２１の内部は、仕切り板４１によって、内側のスペースからなる１次側配線が配線される配線スペース４５と、仕切り板４１の外側のスペースからなる２次側配線が配線される配線路４３とに区画されている。
【００１６】
配線路４３を形成する仕切り板４１は、パネル本体２１の奥行き方向の途中である略中間部分まで延在されている。また、側板２３には、その上縁をパネル本体２１の内側へ折り返すことにより、配線路４３の上部に張り出された係合片２３ａが設けられている。
また、パネル本体２１には、その上方から上部カバー４８が取り付けられている。この上部カバー４８は、１次側配線が収容される配線スペース４５のみを覆うようにパネル本体２１に装着されている。
【００１７】
また、パネル本体２１の前面折り返し部には、受け部材５１が取り付けられている。図２に示すように、受け部材５１は、パネル本体２１の底板２２と略同一面内に配置される底板部５２と、この底板部５２の手前において上方へ立設された前面板部５３とを有している。また、この受け部材５１は、底板部５２と前面板部５３との隅部に、コードガイド５４が設けられている。これらのコードガイド５４は、受け部材５１の幅方向に間隔をあけて配置されている。また、受け部材５１の前面板部５３には、合成樹脂製の前面カバー５５が取り付けられており、前面板部５３に形成された凹部５６が前面カバー５５によって覆われている。
【００１８】
この受け部材５１には、固定孔５７を有する取付片部５８が形成されている。そして、この受け部材５１は、この取付片部５８をパネル本体２１の前面折り返し部の両側部に配置させた状態で、パネル本体２１の前面折り返し部にあるネジ穴５９へ固定ネジ（図示せず）を挿し込み、係合させることにより、パネル本体２１の前面折り返し部に装着される。また、受け部材５１は、パネル本体２１の前面折り返し部にあるネジ穴５９への係合を解除させて固定ネジ（図示せず）を抜き取ることにより、パネル本体２１から取り外される。このように、受け部材５１は、パネル本体２１に対して着脱可能である。
【００１９】
また、パネル本体２１には、配線スペース４５内におけるアダプタパネル３４よりも後方側である奥側に、融着トレイ３６が配置されている。融着トレイ３６は、硬質樹脂から形成されたものであり、上中下３段に設けられている。上中下の融着トレイ３６は、奥側において互いに回動可能に連結されている。また、上段の融着トレイ３６には、上部にカバー３６ａが装着されており、カバー３６ａは、その奥側において上段の融着トレイ３６に対して回動可能に連結されている。そして、カバー３６ａの前方側を上方へ引き上げることにより、上段の融着トレイ３６が開放される。また、上段の融着トレイ３６の前方側を上方へ引き上げることにより中段の融着トレイ３６が開放され、さらに中段の融着トレイ３６の前方側を上方へ引き上げることにより下段の融着トレイ３６が開放される。
【００２０】
また、パネル本体２１には、融着トレイ３６の手前に、底板２２に固定された配線ガイド部材４７が設けられている。
【００２１】
光配線用パネル１１Ａの奥側には、左右近傍のいずれかに、締結部２５ａを有するケーブル導入部２５が設けられている。本例では左側に設けた例を図示する。これらのケーブル導入部２５には、その一方に、導入側光ケーブル（１次側配線）１が配線されている。この導入側光ケーブル１は、外径０．９ｍｍの２４本の単心の光ファイバ心線（１次側配線）１ａをまとめたものである。この導入側光ケーブル１は、パネル本体２１の後方側において、一方のケーブル導入部２５から導入され、内蔵されている抗張力線１ｂがケーブル導入部２５の締結部２５ａに固定されている。
【００２２】
配線路４３を形成する仕切り板４１は、パネル本体２１の手前側から奥行き方向の途中である略中間部分まで延在されており、それよりも背面側には設けられていない。したがって、この仕切り板４１とケーブル導入部２５との干渉が防止され、仕切り板４１が妨げとなることなくケーブル導入部２５における導入側ケーブル１の配線作業を円滑に行うことができる。
【００２３】
この導入側光ケーブル１の光ファイバ心線１ａは、融着トレイ３６の前方側を通されて配線ガイド部材４７によって底板２２に保持され、融着トレイ３６の右側から各融着トレイ３６内へ８本ずつに分離されて導かれている。そして、各光ファイバ心線１ａは、各融着トレイ３６内において、外径２ｍｍの単心の光コードからなる１次側光コード（１次側配線）１ｃに融着されて光接続され、その融着接続部が融着トレイ３６内に収容されている。１次側光コード１ｃは、各融着トレイ３６の左側から合計２４本（８本×３段）引き出され、各アダプタ群３５Ｒ，３５Ｌのそれぞれのアダプタ３５に導かれている。これらの１次側光コード１ｃには、それぞれ光コネクタ３が接続されており、これらの光コネクタ３が、各アダプタ３５の上下の接続部３５ａに接続されている。なお、この場合、通常は１次側光コードとして、その一端に予め光コネクタ３が取り付けられている光コネクタ付単心コードを使用するが、光配線用パネル１１Ａが設置された現地において１次側光コード１ｃに接続してもよい。
【００２４】
導入側光ケーブル１を導入するケーブル導入部２５は、導入側光ケーブル１の配線長さを短く抑えられる何れかの部位に導入される。したがって、他方のケーブル導入部２５に導入側光ケーブル１が導入される場合もある。この場合、導入側光ケーブル１の光ファイバ心線１ａは、融着トレイ３６の前方側を通されて融着トレイ３６の左側から各融着トレイ３６内へ導かれ、融着トレイ３６の右側から１次側光コード１ｃが引き出されることとなる。
【００２５】
各アダプタ３５の反対側である手前側の接続部３５ａには、外径２ｍｍの２４本の単心の光コードからなる２次側光コード（２次側配線）５に接続された光コネクタ４が接続されている。これらの光コネクタ４に接続された２次側光コード５は、受け部材５１の底板部５２上で各アダプタ群３５Ｒ，３５Ｌ毎に左右へ導かれて束ねられている。この左右へ導かれる２次側光コード５は、受け部材５１のコードガイド５４及び前面カバー５５によって保持されて飛び出しが防止される。
【００２６】
この束ねられた２次側光コード５は、パネル本体２１のアダプタパネル３４の左右に設けられた配線路４３に通され、パネル本体２１の背面側へ導かれてパネル本体２１の背面から導出されている。配線路４３には、側板２３の上縁をパネル本体２１の内側へ折り返すことにより係合片２３ａが形成されているので、配線路４３に配線された２次側光コード５の外部への飛び出しが防止される。
【００２７】
近年では、光コネクタの挿抜を容易にするためにコネクタ接続部を手前側幅方向に並列配置した光配線用パネルの需要が多くなっている。一方で、このような光配線用パネルを搭載する光成端架において、パネル本体の奥側からコネクタ接続を行う１次側の配線と、パネル本体の手前側からコネクタ接続を行う２次側配線とを光成端架の背面側における架下または架上で集約することにより、配線導入口を１箇所にすることが要望されている。
【００２８】
このような要望に対して、上記実施形態に係る光配線用パネル１１Ａでは、アダプタパネル３４の手前側からコネクタ接続を行った２次側配線である２次側光コード５を、配線路４３へ通して背面側へ配線し、また、その配線をパネル本体２１内に収納して安全に保護することができる。
また、配線を収納する配線専用パネルを別個に設置する場合と比較して、光成端架のコストを抑えつつ軽量化を図るとともに、しかも、配線設計を的確かつ良好に行うことができる。
【００２９】
また、パネル本体２１内の配線スペース４５と配線路４３とを仕切り板４１で仕切っているので、配線の輻輳による光伝送損失の発生を防止することができる。
【００３０】
パネル本体２１の奥側からコネクタ接続を行う１次側の配線と、手前側からコネクタ接続を行う２次側の配線とを行う工事業者が異なる場合に、コネクタ接続部分を責任分割点とする慣習があり、このような場合、２次側の配線を行う際に１次側の配線に触ることができない構造とする要望がある。
【００３１】
上記実施形態の光配線用パネル１１Ａによれば、パネル本体２１内の配線スペース４５と配線路４３とを仕切り板４１で仕切り、配線スペース４５を上部カバー４８で覆ったので、パネル本体２１に上部カバー４８を取り付けてラックに搭載した状態でも２次側の配線をパネル本体２１の手前側、パネル本体２１の上部から容易に行うことができる一方、２次側の配線を行う際に１次側の配線に触ることができない構造とする要望に適応したものとすることができる。
【００３２】
また、パネル本体２１に受け部材５１を取り付ければ、２次側光コード５をパネル本体２１の背面側へ配線する際に、コネクタ接続部の手前側で２次側光コード５を受け部材５１で保持させることができ、２次側光コード５の空中配線をなくして安定した配線を行うことができる。また、設置状況や製品の使用形態によって受け部材５１がコネクタ挿抜作業や配線作業の邪魔となるような場合は、この受け部材５１を取り外すことにより、コネクタ挿抜作業や配線作業を円滑に行うことができる。
【００３３】
（第２実施形態）
次に、第２実施形態に係る光配線用パネルについて説明する。
なお、第１実施形態と同一構成部分は同一符号を付して説明を省略する。
図３に示すように、第２実施形態に係る光配線用パネル１１Ｂは、パネル本体２１内の配線スペース４５に、光スプリッター等の２つの光モジュール６１Ｒ，６１Ｌを備えている。これらの光モジュール６１Ｒ，６１Ｌは、アダプタパネル３４と一体化したモジュール固定用パネルに固定された上で、パネル本体２１の前面折り返し部に固定されている。これらの光モジュール６１Ｒ，６１Ｌの一端面には、上下２段に接続部６２ａを有する複数のアダプタ６２が設けられており、これらのアダプタ６２が左右に配列されている。
【００３４】
この光配線用パネル１１Ｂでは、一方のケーブル導入部２５に、８枚の４心の光テープ心線１ｄをまとめた導入側光ケーブル（１次側配線）１が配線されている。
この導入側光ケーブル１は、光テープ心線１ｄが、外径２．５ｍｍの４本の保護チューブにそれぞれ２枚ずつ収容されたチューブ線の状態とされて融着トレイ３６の前方側を通されて配線ガイド部材４７によって底板２２に保持され、融着トレイ３６の右側から上下の各融着トレイ３６内へ２本ずつ導かれている。
【００３５】
そして、各光テープ心線１ｄは、外径１．４ｍｍの保護チューブにそれぞれ１枚ずつ収容されたチューブ線の状態で、それぞれの融着トレイ３６の左側から４本ずつ引き出されている。これらの光テープ心線１ｄは、４本ずつに分割されて各モジュール６１Ｒ，６１Ｌに導かれて各モジュール６１Ｒ，６１Ｌに接続されている。
【００３６】
各モジュール６１Ｒ，６１Ｌのアダプタ６２の接続部６２ａには、外径２ｍｍの３２本の単心光コードからなる２次側光コード（２次側配線）５に接続された光コネクタ４が接続され、これらの光コネクタ４に接続された２次側光コード５は、各モジュール６１Ｒ，６１Ｌ毎に左右へ導かれて束ねられ、パネル本体２１のアダプタパネル３４の左右に設けられた配線路４３に通され、パネル本体２１の背面側へ導かれてパネル本体２１の背面から導出されている。
【００３７】
このように、上記の第２実施形態に係る光配線用パネル１１Ｂの場合も、モジュール６１Ｒ，６１Ｌのアダプタ６２に光コネクタ４が接続された２次側光コード５を配線路４３へ通してパネル本体２１の背面側へ配線させることができ、配線を安全に保護することができる。そして、光成端架のコストを抑えつつ軽量化を図るとともに、配線設計を的確かつ良好に行うことができる。
【００３８】
（第３実施形態）
次に、第３実施形態に係る光配線用パネルについて説明する。
なお、第１，２実施形態と同一構成部分は同一符号を付して説明を省略する。
図４に示すように、第３実施形態に係る光配線用パネル１１Ｃでは、パネル本体２１内の配線スペース４５に、ケーブルを保持する４つのケーブル保持部７１が底板２２に取り付けられている。
【００３９】
この光配線用パネル１１Ｃでは、一方のケーブル導入部２５に、外径０．９ｍｍの２４本の単心の光ファイバ心線を束ねた２４心の導入側光ケーブル（１次側配線）１が配線されている。
この導入側光ケーブル１の外径２ｍｍの単心の光コードからなる１次側光コード１ｃは、配線スペース４５内で巻回され、その巻回部分が４つのケーブル保持部７１によって保持されている。
【００４０】
そして、２４本の１次側光コード１ｃは、１２本ずつに分割され、各アダプタ群３５Ｒ，３５Ｌのそれぞれのアダプタ３５に導かれている。これらの１次側光コード１ｃには、それぞれ光コネクタ３が接続されており、これらの光コネクタ３が、各アダプタ３５の上下の接続部３５ａに接続されている。
【００４１】
各アダプタ群３５Ｒ，３５Ｌのアダプタ３５の接続部３５ａには、外径２ｍｍの２４本の単心光コードからなる２次側光コード（２次側配線）５に接続された光コネクタ４が接続され、これらの光コネクタ４に接続された２次側光コード５は、各アダプタ群３５Ｒ，３５Ｌ毎に左右へ導かれて束ねられ、パネル本体２１のアダプタパネル３４の左右に設けられた配線路４３に通され、パネル本体２１の背面側へ導かれてパネル本体２１の背面から導出されている。
【００４２】
このように、上記の第３実施形態に係る光配線用パネル１１Ｃの場合も、アダプタ３５にコネクタ４が接続された２次側光コード５を配線路４３へ通してパネル本体２１の背面側へ配線させることができ、配線を安全に保護することができる。そして、光成端架のコストを抑えつつ軽量化を図るとともに、配線設計を的確かつ良好に行うことができる。
【００４３】
なお、上記実施形態において、アダプタパネル３４として、パネル本体２１の幅寸法よりも小さい長さ寸法のものを用い、アダプタパネル３４の両端部に配線路４３と繋がる隙間を形成したが、アダプタパネル３４の両端部に、配線路４３と連通する切欠き部を形成しても良い。
【符号の説明】
【００４４】
１：導入側光ケーブル（１次側配線）、１ａ：光テープ心線（１次側配線）、１ｃ：１次側光コード（１次側配線）、３，４：光コネクタ、５：２次側光コード（２次側配線）、１１Ａ，１１Ｂ，１１Ｃ：光配線用パネル、２１：パネル本体、３４：アダプタパネル、４１：仕切り板、４３：配線路、４８：上部カバー、５１：受け部材
【図１】
0005671756.tif 000002
【図２】
0005671756.tif 000003
【図３】
0005671756.tif 000004
【図４】
0005671756.tif 000005